Podtech/llm-jp-corpus-v4-ja_patent huggingface dataset:
(57)【要約】      （修正有）【課題】二つのキャディバックを普段使う同じサイズくらいに接続しまとめ、持ち運びと置き場所をとらないペアーバックを提供する。【解決手段】２つのバッグの組み合わせにより、長手方向を上下方向とする長手形状を形成し、一方のバッグに、他方のバッグを差し乗せる形状のはめ込み可能な底部を備え、他方のバッグに、前記一方のバッグに接続するための上部接続金具２を上側に備え、前記上部接続金具により、前記他方のバッグと前記一方のバッグが連結され、前記一方のバッグと前記他方のバッグのそれぞれの側面に、凹凸の組からなる接続フォルダ３をそれぞれ備え、各接続フォルダにより両者を接続可能であり、前記一方のバッグは、端部の１つが固定されているベルト４と、当該ベルトの他の端部を接続する側部接続金具５を備え、当該側部接続金具に取り付けられているベルトを締めることで前記他方のバッグを前記一方のバッグに固定可能である。【選択図】図２
0003212291.tif 000002
【実用新案登録請求の範囲】
【請求項１】
ゴルフバック１と２は双方フルセットのクラブを挿入でき単体としても使え、１のゴルフバックと２のゴルフバックを一つに組み合わせても使えるゴルフバック。
【請求項２】
接続は１のバックの底部に２を差し乗せできる実用新案登録請求項１記載の接続分離可能なゴルフバック。
【請求項３】
分離した二つのバックを一つに接続するため、下部・上部・側面をベルト・ファスナー・マグネット・接続金物・マジックテープなどで固定でき、実用新案登録請求項１記載の接続分離可能なゴルフバック。
【考案の詳細な説明】
【技術分野】
【０００１】本考案は、大小二つのゴルフバックを個々に使え大きいバックに小さいバックを差込接続でき、一つのバックとしても使えるものである。
【背景技術】
【０００２】ゴルフ場でプレーする時に、キャディバックと別にアプローチやグリーンにてセルフスタンドバックにゴルフクラブを入れ使用し、持ち運ぶ数とゴルフカートに積載する場所が増えていた。
【先行技術文献】
【０００３】
【特許文献１】実開昭６３−１０３６６０
【特許文献２】実開平０１−１０７３７４
【特許文献３】実開平０１−１７８０７３
【考案の概要】
【考案が解決しようとする課題】
【０００４】ゴルフのプレーをする時、ゴルフクラブの持ち運びを用意にするため、１人でキャディバックとセルフスタンドバックの二つのゴルフバックを持ち込み、複数のゴルフクラブをセルフスタンドバックに入れプレーをする時、ゴルフカートやゴルフ場の往復での車両で荷物が増え置き場所に困るため、二つのキャディバックを普段使う同じサイズくらいに接続しまとめ、持ち運びと置き場所をとらないよう解決するものである。
【考案の効果】
【０００５】上述の様に、本考案のペアーバックは従来のキャディバックと同じくらいのサイズ・重量で持ち運びの数と余分な置き場所をとらない。使うときは二つのバックを簡単に分けて使うことができ、ゴルフ場でのクラブの忘れ物やゴルフの練習場での持ち運びなど容易にできる。
【図面の簡単な説明】
【０００６】
【図１】二つのバックを一つに接合纏めた図面。
【図２】一つのバックを二つに分けた図面。
【考案を実施するための形態】
【０００７】二つを一つに接続のため、Ａのバック底部にＢのバックを差し乗せＢのバックの上部接続金具がＡのバックに差しはめ、Ｂバックの側面接続フォルダー凹とＡバック側面の接続フォルダー凸を接続し、Ａバックの側面の接続金物に取り付けているベルトを締め固定する。持ち運びのショルダーのベルトはＢバックが固定された後に、ＢバックをまたぐようにＡバックの側面に固定していない片方を固定されていない片方の接続金物に接続し、Ａバックの側面の接続金物に取り付けているベルトを締め固定する。
【実施例】
【０００８】添付図面に従って実施例を説明する。▲１▼Ａ・Ｂバックの底部は耐久性のプラスチックを使用し接続時の滑りを良くし、しっかりと決めた場所にはめ込みすることができ、▲２▼上部接続金物はＡバックの差込口に挿入すると上部の固定ができる。▲３▼のＡ・Ｂ固定するための耐久性プラスチックの接続フォルダーを接続いたし、Ａフォルダーとバックを繋いでいるベルトを締めこむと、Ａ・Ｂバックが固定され一つに纏まり二つに外れて分かれない。担いで運ぶときのショルダー▲４▼は、Ａバックに側面に耐久性のある接続金物をベルトで固定してあり片側▲５▼凸凹のフォルダーで接続いたし、凸凹フォルダーをＡバックに繋いでいるベルトを締めこむと、ショルダーベルトがしっかり固定される。分けて使用する時は、▲３▼▲５▼のフォルダーを外すことで分けることができる。
【産業上の利用可能性】
【０００９】キャディがつかないセルフでのゴルフスタイルが増えた場合クラブの忘れなどが軽減でき、ＡＢバックの組み合わせを変えることで意匠のバリエーションが増えバックの間違いが減る。分けて使うことにより重量が減り持ち運びが容易になる。
【符号の説明】
【００１０】Ａ  バック  Ｂ  バック  ▲１▼ＡＢ共  底部耐久性プラスチック
▲２▼Ｂバック上部差込金具  ▲３▼ＡＢバック固定用耐久性フォルダー
▲４▼Ａバックを担ぐショルダーベルト
▲５▼Ａバックにショルダーベルトを接続するための耐久性フォルダー
【図１】
0003212291.tif 000003
【図２】
0003212291.tif 000004
【手続補正書】
【提出日】平成29年4月27日(2017.4.27)
【手続補正１】
【補正対象書類名】実用新案登録請求の範囲
【補正対象項目名】全文
【補正方法】変更
【補正の内容】
【実用新案登録請求の範囲】
【請求項１】
２つのバッグの組み合わせにより、長手方向を上下方向とする長手形状を形成し、
一方のバッグに、他方のバッグを差し乗せる形状のはめ込み可能な底部を備え、
他方のバッグに、前記一方のバッグに接続するための上部接続金具を上側に備え、前記上部接続金具により、前記他方のバッグと前記一方のバッグが連結され、
前記一方のバッグと前記他方のバッグのそれぞれの側面に、凹凸の組からなる接続フォルダをそれぞれ備え、各接続フォルダにより両者を接続可能であり、
前記一方のバッグは、端部の１つが固定されているベルトと、当該ベルトの他の端部を接続する側部接続金具を備え、当該側部接続金具に取り付けられているベルトを締めることで前記他方のバッグを前記一方のバッグに固定可能である、
前記２つのバッグの組み合わせからなるゴルフバッグ。
【請求項２】
前記はめ込み可能な底部は、耐久性のプラスチックにより形成される、請求項１に記載のゴルフバッグ。
【請求項３】
前記前記側部接続金具は、上側の側部接続金具と、下側の側部接続金具からなり、
前記ベルトは、上側と下側の少なくとも２つの端部で前記一方のバッグに固定され、上側と下側の少なくとも２つの他の端部が前記上側の側部接続金具及び前記下側の側部接続金具に接続される、請求項１に記載のゴルフバッグ。
(57)【要約】      （修正有）【課題】サンドイッチ、菓子パン、調理パンなど焼成２次加工製品の包餡を簡素化、高効率化を図ったパンを提供する。【解決手段】焼成された略円柱状または略多角形状のパン１の中心軸周辺に、同芯状の開口穴３を設けた。開口穴３が円柱状または多角形状をしており、開口穴３に、具材や餡などの食材を充填することができる。【選択図】図１
0003212300.tif 000002
【実用新案登録請求の範囲】
【請求項１】
焼成された略円柱状パンの同芯状に開口穴を設けたパン。
【請求項２】
前記パンの形状が略多角柱状をしていることを特徴とする請求項１に記載の開口穴を設けたパン。
【請求項３】
前記パンの開口穴が円柱状または多角柱状をしていることを特徴とする請求項１又は２に記載の開口穴を設けたパン。
【請求項４】
前記開口穴部に具材や餡などの食材を充填することができることを特徴とする請求項１乃至３のいずれか１項に記載の開口穴を設けたパン。
【考案の詳細な説明】
【技術分野】
【０００１】    本考案は、サンドイッチ、菓子パン、調理パンなど焼成２次加工製品の包餡を簡素化、高効率化を図ったパンに関するものである。
【背景技術】
【０００２】    従来、サンドイッチ、ハンバーガーなどは、焼成１次製品をカット後に、食材を差し込んだり、挟み込んだりする等の加工工程が必要であった。
【先行技術文献】
【特許文献】
【０００３】
【特許文献１】特開平０５−１３０８２８
【考案の概要】
【考案が解決しようとする課題】
【０００４】    １次製品に加工を施すとなると、パンナイフなどでカットが必要となり、刃物による怪我をする恐れがある。また、特許文献１記載の発明のパンにおいては芯型を装着したまま焼成するので芯型を取り外しにくいという課題がある。
【課題を解決するための手段】
【０００５】    本考案は、焼成された略円柱状パンの同芯状に開口穴を設けたパンであり、前記パンの形状が略多角柱状をしており、前記パンの開口穴が円柱状または多角柱状をしている。さらに、前記開口穴部に具材や餡などの食材を充填することができるようにすることで、前記課題を解決するものである。
【考案の効果】
【０００６】    ２次加工製品に食材や餡などを開口穴に自由に詰める事も出来るので、購入者の調理アイディアを生かすことができる。また、カッティング加工の工程が不要なので、刃物などを使用せず安全で衛生的である。
【図面の簡単な説明】
【０００７】
【図１】本考案の開口穴を設けたパンの正面図
【図２】本考案の開口穴を設けたパンの平面図
【図３】図２のＸ−Ｙ線の縦断面図
【図４】本考案の使用状態を示す斜視図
【考案を実施するための形態】
【０００８】  本考案にかかる開口穴を設けたパンについて、図面に基づき詳しく説明する。図１は本考案の開口穴を設けたパン１の正面図であり、図２は平面図である。符号２はパン本体、符号３は開口穴である。
前記パン本体２は焼成されたパンを冷凍し、適宜の長さに切ったものである。
開口穴３は前記パン本体２に冷凍状態で穴加工を施工する。
丸穴をあける場合は円形切削工具を用い、多角柱に開けるときは、その形状のスリーブを押圧して開口する。図３は図２のＸ−Ｙ線における縦断面図であり、符号３の開口穴は、パン本体を貫通させないで、底部４を残して加工するものとする。図４は本考案の開口穴を設けたパン１の開口穴３に具材５を詰めた実施例を示す斜視図である。具材５は販売店で予め詰めた状態で販売してもよく、あるいは、購入者が家庭等で好みの具材を詰めることもできるものである。
【実施例】
【０００７】一例として、直径略７０ミリ、長さ略３００ミリ程度に焼成したパン１を４等分にカットし、マイナス１５度以下で冷凍する。冷凍したパン１の同芯円状に円形状又は多角形状の穴をあけ、その後速やかに真空パックをして、再度冷凍する。くりぬいた開口穴３のパンは、該開口穴に詰めておくことで、パン粉として利用することができる。
【産業上の利用可能性】
【０００８】固体、液体の各種具材を詰める事が可能なため、料理の可能性を広げることができる。
【符号の説明】
【０００９】１  パン
２  パン本体
３  開口穴
４  底部
５  具材
【図１】
0003212300.tif 000003
【図２】
0003212300.tif 000004
【図３】
0003212300.tif 000005
【図４】
0003212300.tif 000006
【手続補正書】
【提出日】平成29年6月19日(2017.6.19)
【手続補正１】
【補正対象書類名】実用新案登録請求の範囲
【補正対象項目名】全文
【補正方法】変更
【補正の内容】
【実用新案登録請求の範囲】
【請求項１】
焼成された略円柱状または略多角形状のパンの中心軸周辺に、同芯状の開口穴を設けたパン。
【請求項２】
前記開口穴が円柱状または多角形状をしていることを特徴とする請求項１に記載のパン。
【請求項３】
前記開口穴に、具材や餡などの食材を充填することができることを特徴とする請求項１または２に記載のパン。
(57)【要約】      （修正有）【課題】衣料品本体にＬＥＤ電飾を取り付け施された柄などの一部分が点滅して光るようにしたファッション製品であり消費者に楽しさを提供する電飾付き衣料品を提供する。【解決手段】衣料品本体の裏側に薄型乾電池を電源とするＬＥＤ電球１を光源とした電飾を配線にて散りばめて取り付け、配線のスイッチを収納するポケットに格納し、スイッチを入れると点滅して表から見て光る。【選択図】図１
0003212298.tif 000002
【実用新案登録請求の範囲】
【請求項１】
本体に乾電池付きのＬＥＤ電飾を取り付け、スイッチを入れると電気が付く衣料品
【考案の詳細な説明】
【技術分野】
【０００１】本考案は、本体にＬＥＤ電飾を取り付けた衣料品に関するものである。
【背景技術】
【０００２】夜光塗料や夜行性の反射板などを衣料品に加工や取り付けしたもので、夜間作業や夜間の野外でのスポーツなどで安全性を高める目的の衣料品はすでに販売されている。
【考案の概要】
【考案が解決しようとする課題】
【０００３】本品は主にイベント向けやオリジナルキャラクターの柄をプリント又は編み込により表現しなおかつ電飾を取り付けてファッション性の高い商品を提供して消費者に楽しんでもらうためのものである。
【課題を解決するための手段】
【０００４】本考案は、衣料品の本体裏側にＬＥＤ電飾を取り付けた後、裏側の配線を隠すために裏地を取り付け、身体に当たらないよう工夫をして安全面にも配慮し、乾電池の微電流によりＬＥＤが光るよう設計するものである。
【考案の効果】
【０００５】上述のように、本考案の電飾付きファッション衣料はＬＥＤの電球が点灯又は点滅して光ることにより消費者に楽しさを提供するものであり高いファッション性が得られるものである。
【図面の簡単な説明】
【図１】表から見た場合の図
【図２】前身裏側の配線の図
【図３】裏地を付けた完成品の前身裏側
【考案を実施するための形態】
【０００６】衣料品本体の裏側の柄部分の一部に電球が表から光って見えるように取り付け配線を電池ポケット部分まで伸ばし、スイッチを入れるとＬＥＤ電球が点滅するようにする。配線は裏地を取り付け隠す。洗濯時は電池を外して手洗い出来る。
【実施例】
【０００７】以下、添付図面にしたがって実施例を説明する。
１．はＬＥＤ電球２．は配線３．はＬＥＤスイッチポケットである。
４．の図案は一例で実際には様々な柄を使用する。
ＬＥＤスイッチを入れると電球が点灯又は点滅する。
スイッチはスイッチ用ポケットに入れて収納する。
【符号の説明】
【０００８】１．ＬＥＤ電球
２．配線
３．スイッチポケット
４．柄の一例
【図１】
0003212298.tif 000003
【図２】
0003212298.tif 000004
【図３】
0003212298.tif 000005
【手続補正書】
【提出日】平成29年6月21日(2017.6.21)
【手続補正１】
【補正対象書類名】実用新案登録請求の範囲
【補正対象項目名】全文
【補正方法】変更
【補正の内容】
【実用新案登録請求の範囲】
【請求項１】
衣料品本体の裏側に薄型乾電池を電源とするＬＥＤを光源とした電飾を配線にて散りばめて取り付け、配線のスイッチを収納するポケットに格納し、スイッチを入れると点滅して表から見て光る電飾付き衣料品。
(57)【要約】      （修正有）【課題】暗所でコンセントやタップ等のプラグ差込口に容易且つ安全にプラグを差込むことができる、照明付き電源タップ及び電源プラグを提供する。【解決手段】本体に電池７による電源供給のＬＥＤ照明２を埋め込み、スイッチ５を手動でオンにすることにより発光し、プラグ３の差込み時に棒状のスイッチ４が押されオフになるか、又は、スイッチ５を手動でオフにして切ることにより照明が消える構造とする。スイッチ４及びスイッチ５の代わりに、スイッチを押すと時間の経過によって消灯するようにしてもよい。【選択図】図１
0003212292.tif 000002
【実用新案登録請求の範囲】
【請求項１】
電源タップ及び電源プラグに電池７とＬＥＤ照明２、スイッチを内蔵する構造を持つことを特徴とする照明付き電源タップ及び電源プラグ。
【請求項２】
電池の代わりに、充電池を内蔵しコンセントやタップ等への差込み時に充電する構造を持つことを特徴とする、請求項１に記載の照明付き電源タップ及び電源プラグ。
【請求項３】
コンセント等への差込み時、差込み後に照明が消えるようスイッチａ４を備えた構造を持つことを特徴とする、請求項１と２に記載の照明付き電源タップ及び電源プラグ。
【請求項４】
スイッチａ４及びスイッチｂ５の代わりに、照明のスイッチボタンを押すと短時間で自動消灯するスイッチを備えた構造を持つことを特徴とする、請求項１から３に記載の照明付き電源タップ及び電源プラグ。
【請求項５】
プラグ差込口６の代わりに、電源コードを備えたことを特徴とする、請求項１から４に記載の照明付き電源タップ及び電源プラグ。
【考案の詳細な説明】
【技術分野】
【０００１】          本考案は、照明付き電源タップ及び電源プラグに関するものである。
【背景技術】
【０００２】          従来の電源タップ及び電源プラグは、暗所でプラグを差込む時、コンセントやタップの位置を確認するのが困難か、他の照明が必要であり不便であった。【０００３】          従来の電源タップ及び電源プラグは、既にコンセント等に差込まれて導通している状態でないと照明として使用できないものであった。
【考案の概要】
【考案が解決しようとする課題】
【０００４】          従来の電源タップ及び電源プラグは、暗所でプラグを差込む時、コンセント等の位置を確認するのが困難か、他の照明が必要になるなどの欠点があった。
【課題を解決するための手段】
【０００５】          本考案は、電源タップ及び電源プラグに、電池によるＬＥＤ照明を埋め込むことによって、暗所でのコンセント等への差込みを容易にし、これにより従来の課題を解決するものである。
【考案の効果】
【０００６】          本考案に係る照明付き電源タップ及び電源プラグは、プラグ差込み前に電池によるＬＥＤ照明によって、手元を照らし、コンセントやタップ等の位置を容易に確認することのできる利便性の高い物である。
【図面の簡単な説明】
【０００７】
【図１】本考案に係る照明付き電源タップ及び電源プラグの説明図である。
【図２】本考案に係る照明付き電源タップ及び電源プラグの平面図である。
【図３】本考案に係る照明付き電源タップ及び電源プラグの正面図である。
【図４】本考案に係る照明付き電源タップ及び電源プラグの背面図である。
【図５】本考案に係る照明付き電源タップ及び電源プラグの側面図である。
【考案を実施するための形態】
【０００８】          図１に示すように、本体のプラグ側の部分は従来の物と同じ構造となっている。ＬＥＤ照明部分は、スイッチｂ５をオンにすることによって発光し使用する。使用後はスイッチｂ５をオフにするか、又は、電源プラグをコンセント等に差込み、スイッチａ４が押されると、オフになる構造で、スイッチａ４の材質はプラスチックなどの絶縁体とする。また、スイッチａ４及びスイッチｂ５の代わりに、スイッチを押すと時間の経過によって消灯するようにしてもよい。
【実施例】
【０００９】          本考案は、電源プラグが付いていれさえすればよく、電化製品等の電源プラグ部分、アダプター、タップ等、どんなものにでも応用可能である。
【符号の説明】
【００１０】    １  プラグ面
２  ＬＥＤ照明
３  プラグ
４  スイッチａ
５  スイッチｂ
６  プラグ差込口
７  電池
【図１】
0003212292.tif 000003
【図２】
0003212292.tif 000004
【図３】
0003212292.tif 000005
【図４】
0003212292.tif 000006
【図５】
0003212292.tif 000007
【手続補正書】
【提出日】平成29年5月2日(2017.5.2)
【手続補正１】
【補正対象書類名】実用新案登録請求の範囲
【補正対象項目名】全文
【補正方法】変更
【補正の内容】
【実用新案登録請求の範囲】
【請求項１】
本考案は、プラグ面１にＬＥＤ照明２を取り付け、プラグ３及びプラグ差込口６側と内部壁で隔てた反対側に、ＬＥＤを配線で電池７及び抵抗、スイッチｂ５で繋ぎ取り付け、プラグ差込口６の面のスライドスイッチｂ５にて、光の使用不使用を選択し、夜間の電源プラグの差込みを安全且つ容易にすることを目的とする為の物である。本考案を実施する為の、プラグ側と内部壁で隔てられた本体ＬＥＤ照明側内配線機構、及びＬＥＤ照明２、電池７とスイッチｂ５からなる構造を持つことを特徴とする、照明付き電源タップ及び電源プラグ。
【請求項２】
コンセントへの差込み時、差込み後に照明が消えるよう棒状の押しボタンスイッチａ４をＬＥＤ照明側のプラグ面に備え、コンセント差込み時にスイッチａ４が押されることによって導通がなくなり照明が消え、コンセントから抜くと導通し照明が点く、スイッチａ４がある構造を持つことを特徴とする、請求項１に記載の照明付き電源タップ及び電源プラグ。
【請求項３】
プラグ差込口の代わりに、電源コードを備えたことを特徴とする、請求項１または２記載の照明付き電源タップ及び電源プラグ。
【手続補正書】
【提出日】平成29年6月22日(2017.6.22)
【手続補正１】
【補正対象書類名】実用新案登録請求の範囲
【補正対象項目名】請求項１
【補正方法】変更
【補正の内容】
【請求項１】
ＬＥＤ照明２、プラグ３、スライドスイッチｂ５、プラグ差込口６、電池７および抵抗を含み、内部に内部壁を有する照明付き電源タップ及び電源プラグであって、
該内部壁の一方の側の、プラグ面１にプラグ３を設け、該プラグ面１の反対側の面にプラグ差込口６を設けてなり、
該内部壁の他方の側の、プラグ面１にＬＥＤ照明２を設け、該プラグ面１と反対側の面にスライドスイッチｂ５を設け、該ＬＥＤ照明２、電池７、抵抗および該スライドスイッチｂ５を配線で繋いでなり、
該スライドスイッチｂ５にて、光の使用不使用を選択でき、夜間の電源プラグが安全且つ容易に差し込めることを特徴とする、照明付き電源タップ及び電源プラグ。
(57)【要約】      （修正有）【課題】ＬＥＤ発光素子を具備する電装パネルに於いて、ＬＥＤ発光素子を配置した基台内の熱を効率よく放出できる電装パネルを提供する。【解決手段】電装パネルは、レーザー光照射加工にて片面側を彫刻した透明アクリル板２若しくはアクリルミラーを垂直方向に立設し、ＬＥＤ発光素子とＩＣチップを順に配置してなるＬＥＤテープを備えた基台１を有し、基材に内部の熱を放出するための孔４０を備える。【選択図】図２
0003212675.tif 000002
【実用新案登録請求の範囲】
【請求項１】
レーザー光照射加工にて片面側を彫刻した透明アクリル板若しくはアクリルミラーを垂直方向に立設し、ＬＥＤ発光素子とＩＣチップを順に配置してなるＬＥＤテープを備えた基台であり、該基台の側面部には前記ＬＥＤ発光素子を発光させるための電源コードを貫通するための孔と基台内部の熱を放出するための孔を備えた電装パネル
【考案の詳細な説明】
【技術分野】
【０００１】本考案は、ＬＥＤ発光素子を備えた基台に片面にレーザー光照射加工された透明アクリル板若しくはアクリルミラーが立設された電装パネルに関する。
【背景技術】
【０００２】発光素子を内蔵する電飾パネルは古くから存在しており、夜間であっても視認できるために重要な広告媒体である。最近では、発光体としてＬＥＤ発光素子が採用されているために該素子自体が小さいこと、および発熱性が少ないためにＬＥＤ発光素子を内蔵させる基台自体の小型化に伴い、使用用途も多様化されている。【０００３】ＬＥＤ発光素子を内蔵する電飾パネルの典型的な構造は、金属製の直方体内部にＬＥＤ発光素子とＩＣチップを順に配置してなるＬＥＤテープを備え、該ＬＥＤ発光素子が上部方向に照射され、前記直方体の上面に片面を彫刻した透明アクリル板、またはアクリル板り、前記彫刻部や縁取り部の表面粗さを調整することで発光させている。また、ＬＥＤ発光素子は単色光のみでなく様々な色を用い、自動又は手動で変更できるようにしたもの、点灯し続けるのではなく点滅するようにしたものなどが市販されている。【０００４】
【特許文献】
【０００５】
【特許文献１】特開２００４−３６１６２８号
【特許文献２】特開２０１６−８５２６７号
【０００６】
【考案の概要】
【考案が解決しようとする課題】
【０００７】ＬＥＤ発光素子の放熱に関しては、赤外線を殆ど発していないために光自体には熱がないが、ＩＣチップからは自己発生熱となって放出されている。室内用の電装パネルは小型タイプが多く、またインテリア用としての利用も多いためＬＥＤ発光素子を配置する筐体自体も小型に製作されており該ＬＥＤ発光素子からの自己発生熱は筐体を介しての放熱では十分でなく熱によるＬＥＤ発光素子の寿命を縮めることになる。【０００８】特許文献１は、代表的な電装パネルの構造を示しており透明体表面に設けた凹凸模様に発光素子の光を効率よく導き、凹凸模様の視認性を向上させた電飾看板を提供するために凹凸模様が形成された透明体と、透明体の端部から凹凸模様に向けて光を照射する発光素子とを備え、しかも、透明体の端部は、透明体の端部に配置される発光素子の発光部を囲む凹部が設けられ、発光素子からの光が、凹部から効率よく透明体内部に導かれ、更に、凹凸模様に照射されて、この部分で反射して外部に散乱光として放射されると記載されている。【０００９】特許文献２は、ＬＥＤ発光素子とＩＣチップを順に配置してなるＬＥＤテープ体を、放射状外向きを照射方向として周回させ設置した基台と、その周縁を取り囲む透明体を有するパネルであってパネルの裏面には、放熱板が設けられており、放熱板はこのパネル本体内に嵌り込む直角部とパネル裏面に沿う平面部とで形成されこれらが断面Ｔ字状に形成されており、これにより誤動作や破損の危険性を低減させるものである。
【課題を解決するための手段】
【００１０】上記課題に鑑み、考案者は誠意工夫の結果、レーザー光照射加工にて片面側を彫刻した透明アクリル板若しくはアクリルミラーを垂直方向に立設し、ＬＥＤ発光素子とＩＣチップを順に配置してなるＬＥＤテープを備えた基台であり、該基台の側面部には前記ＬＥＤ発光素子を発光させるための電源コードを貫通するための孔と基台内部の熱を放出するための孔を備えた電装パネルを完成させた。【００１１】
【図面の簡単な説明】
【００１２】
【図１】電装パネルの基本構造であり、（ａ）は側面側の断面構造、（ｂ）は正面図を示す。
【図２】本考案である基台側面に放熱用の孔を設けた構造を示す。
【考案を実施するための形態】
【００１３】以下、本考案に係る実施の形態を図面により説明する。
【実施例】
【００１４】図１は、電装パネルの基本構造であり（ａ）は側面側の断面構造を、（ｂ）は正面図を示す。金属製の基台（１）の内部にはＬＥＤ発光素子とＩＣチップを順に配置してなるＬＥＤテープ体（２）が取り付けられており、透明アクリル板（２）が前記基台（１）に立設されている。また、前記透明アクリル板（２）の縁部は、レーザー光照射による透明アクリル板の縁取り加工部（３０）を備え、前記透明アクリル板（２）表面にはレーザー光照射によるレーザー彫刻部（２０）を備えている。【００１５】図２は、本考案である基台側面に放熱用の孔を設けた構造を示す。金属製の基台（１）の側面にはＬＥＤ発光素子を発光させるための電源ケーブル用の孔（５０）が具備され、また放熱用の孔（４０）を２個具備させている。前記放熱用の孔によりＩＣチップからの発熱を効率よく外気に放出することが可能となる。【００１６】なお、本考案にかかる電装パネルの具体的な構成は、実施形態に記載したものに限られるものでなく、考案の要旨を逸脱しない範囲で変更可能である。
【考案の効果】
【００１７】本考案によれば、電装パネル内に具備されたＬＥＤ発光素子の寿命を延命することが可能となる。
【符号の説明】
【００１８】１      基台
２      透明アクリル板
１０    ＬＥＤ発光素子とＩＣチップを順に配置してなるＬＥＤテープ体
２０    レーザー彫刻部
３０    レーザー光照射による透明アクリル板の縁取り加工部
４０    放熱用の孔
５０    電源ケーブル用の孔
【図１】
0003212675.tif 000003
【図２】
0003212675.tif 000004
(57)【要約】      （修正有）【課題】杯（盃）を同梱する酒瓶用包装箱を提供する。【解決手段】上部を開口した外形直方体状の有底の箱本体１と、箱本体の蓋２とからなる酒瓶用包装箱において、箱本体内に中仕切り３を設けて、箱本体を酒瓶２０の収容部と杯２１の収容部とに分割することで、酒瓶と杯（盃）を一緒に包装することを可能とする。これにより酒類贈答品としての商品価値を大きく向上させることができる。【選択図】図１
0003212678.tif 000002
【実用新案登録請求の範囲】
【請求項１】
上部を開口した外形直方体状の有底の箱本体と、箱本体の蓋とからなる酒瓶用包装箱において、箱本体内に中仕切りを設けて、箱本体を酒瓶の収容部と杯の収容部とに分割したことを特徴とする酒瓶用包装箱。
【請求項２】
上部を開口した外形直方体状の有底の箱本体と、箱本体の蓋とからなる酒瓶用包装箱において、箱本体内部を箱本体の長手方向に２分割する仕切壁を設けて、酒瓶の収容部と杯の収容部とを形成したことを特徴とする酒瓶用包装箱。
【考案の詳細な説明】
【技術分野】
【０００１】  本考案は、瓶詰めの日本酒やワインなどを入れる包装箱に関するものである。
【背景技術】
【０００２】  贈答用の酒類包装箱として、上部を開口した箱本体と蓋から成り、酒瓶を箱本体に横向きに収納するタイプ（例えば、特許文献１を参照。）や酒瓶を箱の上部から縦向きに収納するタイプ（例えば、特許文献２を参照。）が知られている。
【先行技術文献】
【特許文献】
【０００３】
【特許文献１】実用新案登録第３０４３３９４号公報
【特許文献２】実用新案登録第３０７０５４９号公報
【考案の概要】
【考案が解決しようとする課題】
【０００４】  しかしながら、従来の酒瓶包装容器は、酒類のみを収納するだけであり、杯（盃）を同梱するような包装箱はなかった。
【課題を解決するための手段】
【０００５】  本考案は、上部を開口した外形直方体状の有底の箱本体と、箱本体の蓋とからなる酒瓶用包装箱において、箱本体内に中仕切りを設けて、箱本体を酒瓶の収容部と杯の収容部とに分割することにより、または、上部を開口した外形直方体状の有底の箱本体と、箱本体の蓋とからなる酒瓶用包装箱において、箱本体内部を箱本体の長手方向に２分割する仕切壁を設けて、酒瓶の収容部と杯の収容部とを形成することにより、前述の課題を解決するものである。
【考案の効果】
【０００６】  上述の様に、本考案の酒瓶用包装箱は箱本体に酒瓶の収容部と杯の収容部とを設けることにより、酒瓶だけでなく杯（盃）をも同梱することができるようになり、贈答用や葬祭用としての商品価値の向上をもたらすものである。
【図面の簡単な説明】
【０００７】
【図１】第一の実施例に係る包装箱の斜視図である
【図２】第一の実施例に係る包装箱の平面図である
【図２】第一の実施例に係る包装箱の横断面図である
【図２】第二の実施例に係る包装箱の斜視図である
【考案を実施するための形態】
【０００８】  この包装箱は、図１乃至図３に示すように、箱本体１、蓋２、中仕切り３、緩衝材４から成っている。箱本体１は、底板５と、底板５の周辺部に形成された一対の長尺壁６と一対の短尺壁７から成る上部が開口した外形直方体形状を成す。箱本体１の内部に中仕切り（仕切壁）３を設けることで、箱本体１を２つの部屋に分割し、酒瓶収容部８と杯収容部９とを形成する。酒瓶収容部８には緩衝材４を介して酒瓶２０が収納される。また杯収容部９には杯が収納される。図面では図示していないものの、杯収容部９にも緩衝材を設けることも可能である。また杯が杯収容部９内で自由に動くことを防止するためには、杯収容部９の収納する杯２１の高さに合わせたサイズに設定することが望ましい。箱本体を長手方向に２分割する中仕切り（仕切壁）３を短尺壁７と平行に設けて、酒瓶収容部８と杯収容部９とを形成する。これにより酒瓶２０の頭部側に杯２１が収納されることとなる。なお、酒瓶２０と杯２１との位置関係は逆も可能である。
【０００９】  以上、図１乃至図３に基づき、日本酒の酒瓶と盃の場合について説明したが、図４に示すように、ワイン瓶とワイングラスの場合も同様に利用できるものである。
また本考案の包装箱は、桐等の木材や紙やその他プラスチック等の素材であっても適用可能である。
また、以上の説明においては、酒瓶を１本と盃１個の場合を説明したが、それぞれ複数の場合にも応用が可能である。
また、以上の説明で「杯」と表記しているものは、日本酒用の盃やワイン等に用いるグラス等を含むものである。
【符号の説明】
【００１０】１  箱本体
２  蓋
３  中仕切り（仕切壁）
４  緩衝材
５  底板
６  長尺壁
７  短尺壁
８  酒瓶収容部
９  杯収容部
２０  酒瓶
２１  杯（盃）
【図１】
0003212678.tif 000003
【図２】
0003212678.tif 000004
【図３】
0003212678.tif 000005
【図４】
0003212678.tif 000006
【手続補正書】
【提出日】平成29年7月27日(2017.7.27)
【手続補正１】
【補正対象書類名】明細書
【補正対象項目名】０００７
【補正方法】変更
【補正の内容】
【０００７】
【図１】第一の実施例に係る包装箱の斜視図である
【図２】第一の実施例に係る包装箱の平面図である
【図３】第一の実施例に係る包装箱の横断面図である
【図４】第二の実施例に係る包装箱の斜視図である
(57)【要約】      （修正有）【課題】衣類に道具を使用することなく、本体のみでシャツボタンを取付ける事ができる服飾ボタンを提供する。【解決手段】第２係止手段ｂの嵌合突起部を衣料品１３に貫通させて、第１係止手段ａの基体の中央に設けた嵌合孔に挿入して衣料品１３に取付けることにより、短時間で安全且つ確実に服飾ボタン１４として使用することができる。【選択図】図１
0003212676.tif 000002
【実用新案登録請求の範囲】
【請求項１】
第１係止手段と第２係止手段とからなる服飾ボタンであって、前記第１係止手段の基体中央に嵌合孔を備え、前記第２係止手段は基体から突出する嵌合突起部を備え、前記第２係止手段の嵌合突起部の先端に設けた係止凸部と、前記第１係止手段の嵌合孔内部に前記係止凸部の抜けを防止するための抜け止め凸部を設けたことを特徴とする服飾ボタン。
【請求項２】
前記第１係止手段には嵌合孔と、前記嵌合孔先端に設けた抜け止め防止部とを備えた係止室を設け、前記係止室の一部に切り込みを設けたことを特徴とする請求項１記載の服飾ボタン。
【請求項３】
前記第１係止手段の嵌合孔の内径は、前記第２係止手段の嵌合突起部の係止凸部外形より大きく、かつ、抜け止め凸部の内径は、係止凸部外形より小さいことを特徴とする請求項１および請求項２に記載の服飾ボタン
【請求項４】
前記第１係止手段と第２係止手段の少なくともいずれか一方に複数の貫通孔を設けたことを特徴とする請求項１から請求項３に記載の服飾ボタン。
【考案の詳細な説明】
【技術分野】
【０００１】  本考案は衣類ボタンを簡易に留められる服飾ボタンに関するものである。
【背景技術】
【０００２】  従来衣服へのボタン取付け作業は、針や糸など器具を用いておこなっていた。近年、時間的制約や裁縫技術が衰退しており簡易に取付けをしたいという市場ニーズがある。【０００３】  従来の衣服へのボタン取付けは技術を要し、針や糸等器具を使う必要があり、さらに、時間を要していた。
上記課題を解決するための方法として、針を布地に貫通させてボタン本体に固定するものがある。（例えば、特許文献１参照。）
この方法はボタンを衣服等生地に容易に留める事は可能だが、針を本体に通した後に針を圧着する等の作業が必要であり、また圧着後に道具が必要となるなどの課題を有していた。
【先行技術文献】
【特許文献】
【特許文献１】特開２０１１−１６１１９２号  公報
【考案の概要】
【考案が解決しようとする課題】
【０００４】  そこで、ユーザーが容易に服飾ボタンの取付けが出来きて、取付け時に道具を使用しない服飾ボタンが求められていた。
【課題を解決するための手段】
【０００５】  本考案は、前記課題を解決するために請求項１に記載の考案は、
第１係止手段と第２係止手段とからなる服飾ボタンであって、前記第１係止手段の基体中央に嵌合孔を備え、前記第２係止手段は基体から突出する嵌合突起部を備え、前記第２係止手段の嵌合突起部の先端に設けた係止凸部と、前記第１係止手段の嵌合孔内部に前記係止凸部の抜けを防止するための抜け止め凸部を設けたことを特徴とする。
また、請求項２に記載の考案は，前記第１係止手段には嵌合孔と、前記嵌合孔先端に設けた抜け止め防止部とを備えた係止室を設け、前記係止室の一部に切り込みを設けたことを特徴とする。
また、請求項３に記載の考案は，前記第１係止手段の嵌合孔の内径は、前記第２係止手段の嵌合突起部の係止凸部外形より大きく、かつ、抜け止め凸部の内径は、係止凸部外形より小さいことを特徴とする。
また、請求項４に記載の考案は、前記第１係止手段と第２係止手段のいずれか一方に複数の貫通孔を設けたことを特徴とする。
【考案の効果】
【０００６】    上述の様に、本考案の服飾ボタンは取付けの際に器具を使用すること無く、特別な技術も必要はなく、短時間で安全且つ確実にボタンの取付けをすることができる。
【図面の簡単な説明】
【０００７】
【図１】本考案の服飾ボタンを衣料品に装着した状態の斜視図である。
【図２】本考案の服飾ボタン部材である第１係止手段と第２係止手段の概略斜視図である。
【図３】本考案の服飾ボタンの部材である第１係止手段と第２係止手段の断面図である。
【図４】本考案の服飾ボタンの部材である第１係止手段の正面図である。
【図５】本考案の服飾ボタンの部材である第１係止手段の右側面図である
【図６】本考案の服飾ボタンの部材である第１係止手段の背面面図である
【図７】本考案の服飾ボタンの部材である第１係止手段のＡ−Ａ断面図である。
【図８】本考案の服飾ボタンの部材である第２係止手段の側面図である。
【考案を実施するための形態】
【０００８】  第２係止手段の嵌合突起部を衣料品に貫通させて、第１係止手段の基体の中央に設けた嵌合孔に挿入して衣料品に取付けすることにより、短時間で安全且つ確実に服飾ボタンとして使用することができる。
【実施例】
【０００９】  以下、本考案の実施の形態を図１〜図８に基づいて説明する。
図において、本考案の服飾ボタンは、第１係止手段ａと第２係止手段ｂとからなる服飾ボタンであって、第１係止手段基体１の中央に嵌合孔３を備え、第２係止手段基体２から突出する嵌合突起部１１を備え、第２係止手段ｂの嵌合突起部１１の先端に設けた係止凸部１０と、第１係止手段ａの嵌合孔３の内部に係止凸部１０の抜けを防止するための抜け止め凸部６を設けて構成している。
第１係止手段ａには嵌合孔３と、嵌合孔３の先端に設けた抜け止め防止部６とを備えた係止室８を設け、係止室８の一部に切り込み９を設け、嵌合を容易にしている。
第１係止手段ａの嵌合孔３の内径は、第２係止手段ｂの嵌合突起部１１の係止凸部１０の外形より大きく、かつ、抜け止め凸部６の内径は、係止凸部１０の外形より小さすることにより外れにくくしている。
第１係止手段ａと第２係止手段ｂの少なくともいずれか一方に複数の貫通孔４を設けたことにより、補助的手段として貫通孔４に糸を通すことで更に強固に固定する事ができる。また、装飾効果を高めることもできる。
一般的に服飾ボタンの材料としてポリエステル等を使用しているが、ポリアセタールを材料として使用することにより、本考案の構成及び構造を容易に実現することが可能である。
【符号の説明】
【００１０】  ａ  第１係止手段
ｂ  第２係止手段
１  第１係止手段基体
２  第２係止手段基体
３  嵌合孔
４  貫通孔
５  表面
６  抜け止め凸部
７  裏面
８  係止室
９  切り込み
１０  係止凸部
１１  嵌合突起部
１２  生地
１３  衣料品
１４  服飾ボタン
【図１】
0003212676.tif 000003
【図２】
0003212676.tif 000004
【図３】
0003212676.tif 000005
【図４】
0003212676.tif 000006
【図５】
0003212676.tif 000007
【図６】
0003212676.tif 000008
【図７】
0003212676.tif 000009
【図８】
0003212676.tif 000010
(57)【要約】      （修正有）【課題】スライドドア屋外面の積雪がスライドドア動作スペースに入り込まない様にして、スライドドアの閉扉障害を予防する除雪パーツを提供する。【解決手段】スライドドアの開閉方向に対して傾斜形状を有する除雪面を有する除雪パーツであって、スライドドアの屋外面に装着して、スライドドアの動作時に除雪できる様にした。【選択図】図２
0003212672.tif 000002
【実用新案登録請求の範囲】
【請求項１】
スライドドアの屋外面に除雪パーツを設ける。
【請求項２】
スライドドアの動作により、スライドドアに接する雪を除雪する。
【考案の詳細な説明】
【考案の概要】
【考案が解決しようとする課題】
【０００１】スライドドアの屋外面に雪が接している状態でスライドドアを開閉すると、当該スライドドアの動作スペースに雪が入り込み、その状態で閉扉するとスライドドア下部に雪が固まり詰まり、スライドドアが動かなくなったり又、スライドドアとドア枠の間に雪が固まり詰まる事により、スライドドアが閉扉位置に戻らなくなる問題点が有った。
【課題を解決する為の手段】
【０００２】スライドドアの動作時に除雪できる様、スライドドアの屋外面に除雪パーツを設けた。
【考案の効果】
【０００３】スライドドアの開扉動作と共に除雪される為、スライドドアの動作スペースに雪が入り込む事が無くなり、スライドドアの動作・閉扉障害が解消した。
【図面の簡単な説明】
【図１】スライドドアに除雪パーツを設けた図。
【図２】スライドドアの開扉動作により、除雪されるモデル図。
【図１】
0003212672.tif 000003
【図２】
0003212672.tif 000004
【手続補正書】
【提出日】平成29年7月9日(2017.7.9)
【手続補正１】
【補正対象書類名】実用新案登録請求の範囲
【補正対象項目名】全文
【補正方法】変更
【補正の内容】
【実用新案登録請求の範囲】
【請求項１】
スライドドア屋外面に設ける事を特徴とする除雪パーツ。
【請求項２】
除雪面の角度はスライドドアの開閉方向に対して、
傾斜形状を有する事を特徴とする請求項１に記載の除雪パーツ。
(57)【要約】      （修正有）【課題】台風、豪雨による水害発生時、通気口を通って床下に侵入する水を止めることのできる開閉装置で、緊急時、迅速な対応が可能な蓋つきの開閉装置を提供する。【解決手段】建物の基礎部分に床下の湿気を逃すため設けられる通気口に取り付ける、固定台座２にアンカーによる固定を可能としたアンカー穴３をもち、固定台座から伸びる固定棒に設けられた溝に引っかけることで、開閉可能な蓋１を有する。通常時は蓋を手前に移動させ固定することで、固定台座との間に隙間を作り、空気の出入りを可能とし、水害発生時は蓋を閉めることで、床下への水の浸入を防止する。水害発生などの緊急時には、そのまま蓋を閉めるだけの操作でよく、迅速な対応が可能となる。【選択図】図１
0003212673.tif 000002
【実用新案登録請求の範囲】
【請求項１】
建物の基礎部分に床下の湿気を逃すため設けられる通気口に取り付ける、固定台座にアンカーによる固定を可能としたアンカー穴をもち、手前に延びる固定棒に設けられた溝に引っかけることで、開閉可能な蓋を有することを特徴とする開閉装置。
【考案の詳細な説明】
【技術分野】
【０００１】  本考案は、建物の床下の湿気を逃すための基礎部分に設ける通気口に関するものである。
【背景技術】
【０００２】  従来、建物には床下の湿気を逃すため、基礎部分に通気口が設けられている。開口部内部には空気の出入りの妨げにならないよう格子状の板をはめ込み、小動物などの侵入を防止している。
しかしながら、台風や豪雨で発生する水害時には、通気口を通って床下に水や泥が侵入する被害が発生している。そのような水害発生時、保管していた閉塞装置を通気口に取り付け、床下への水や泥の侵入を防止するものもある。（例えば、特許文献１参照）
【先行技術文献】
【特許文献】
【０００３】
【特許文献１】特開２００７−１４６４９３
【考案の概要】
【考案が解決しようとする課題】
【０００４】  特許文献１に記載されている開閉装置では、いざ水害が発生した際、収納場所が不明確であったり、すぐに取り出すことができない場所に収納していたりして、緊急時に迅速な対応が取れないことがある。
【課題を解決するための手段】
【０００５】  前記課題を解決するために本考案に係る開閉装置は、通常時、蓋を手前に移動させ固定することで、空気の出入りを可能とし、水害発生時は蓋を閉めることで、床下への水の浸入を防止する。
【考案の効果】
【０００６】  上述のように、本考案の開閉装置は通常時に蓋が対象箇所にあり、水害発生などの緊急時には、そのまま蓋を閉めるだけの操作でよく、迅速な対応が可能となっている。
【図面の簡単な説明】
【０００７】
【図１】本考案の開閉装置の正面図である。
【図２】開閉装置の蓋の正面図である。
【図３】開閉装置の固定台座の正面図である。
【図４】固定台座の側面図である。
【図５】開閉装置の通常時に使用する形態の断面図である。
【図６】開閉装置の水害時に使用する形態の断面図である。
【考案を実施するための形態】
【０００８】  家屋の基礎壁面に固定するための枠となる固定台座を基礎壁面にアンカーで固定し、固定台座から延びる固定棒の溝に蓋を引っかけることで蓋自身の固定を行う。溝には通常時用と水害時用の溝があり、状況に応じて引っかける場所を変えることで必要な機能を得ることができる。
【実施例】
【０００９】  以下、本考案の実施の形態を図１〜６について説明する。図１は本考案の開閉装置の正面図である。アンカー穴３を用いて家屋の基礎壁面に固定できるようなっている。基礎壁面と開閉装置の隙間から水の侵入が起きないよう、施工時にはシリコン等を用いてシールしておくことが望ましい。【００１０】  図２の蓋１に開けられた４個の固定穴４を図３の固定台座２から延びる４個の固定棒５に引っかけることで蓋１を固定している。図４の側面図で固定台座２から延びた４個の固定棒にはそれぞれ通常時使用の溝７及び水害時使用の溝８が入っており、その溝に蓋１がかかることで固定される。固定穴４には溝に納まりよくかかるよう穴の上部は平らな構造となっている。【００１１】  図５は通常時に使用する形態で、溝７に蓋１が固定され、蓋１と固定台座２との間にできる空間から床下の空気の出入りが可能となっている。【００１２】  図６は水害時に使用する形態を表しており、溝７から溝８に蓋を移動させ、蓋と固定台座を密着させることで、水や泥の床下への侵入を防止している。
【符号の説明】
【００１３】１  蓋
２  固定台座
３  アンカー穴
４  固定穴
５  固定棒
６  開口
７  通常時使用の溝
８  災害時使用の溝
９  家屋の基礎
【図１】
0003212673.tif 000003
【図２】
0003212673.tif 000004
【図３】
0003212673.tif 000005
【図４】
0003212673.tif 000006
【図５】
0003212673.tif 000007
【図６】
0003212673.tif 000008
【手続補正書】
【提出日】平成29年7月10日(2017.7.10)
【手続補正１】
【補正対象書類名】実用新案登録請求の範囲
【補正対象項目名】全文
【補正方法】変更
【補正の内容】
【実用新案登録請求の範囲】
【請求項１】
建物の基礎部分に床下の湿気を逃すため設けられる通気口に取り付ける、固定台座にアンカーによる固定を可能としたアンカー穴をもち、固定台座から伸びる固定棒に設けられた溝に引っかけることで、開閉可能な蓋を有することを特徴とする開閉装置。
(57)【要約】      （修正有）【課題】１つのパフでありながら、機能の異なる少なくとも２種類の薄層を有する化粧用パフを提供する。【解決手段】パフ１は、容器状の薄層本体２と、この薄層本体２に充填されるジェル３と、薄層本体２と周辺部において接着され、ジェル３を包み込むように閉じ込める上面薄層４を有する。薄層本体２と上面薄層４が異なる素材からなる。異なる素材の一方が、天然／合成ゴム、軟質樹脂いずれかであり、異なる素材の他方が、織物層又は編物層である。【選択図】図２
0003212627.tif 000002
【実用新案登録請求の範囲】
【請求項１】
容器状の薄層本体（２）と、この薄層本体（２）に充填されるジェル（３）と、前記薄層本体（２）と周辺部において接着され、前記ジェル（３）を包み込むように閉じ込める上面薄層（４）を有し、前記薄層本体（２）と前記上面薄層（４）が異なる素材からなることを特徴とする化粧用パフ。
【請求項２】
前記異なる素材の一方が、天然／合成ゴム、軟質樹脂いずれかであり、前記異なる素材の他方が、織物層又は編物層である請求項１記載の化粧用パフ。
【請求項３】
前記薄層本体（２）を、天然／合成ゴム、軟質樹脂のいずれかとし、前記上面薄層（４）を、織物又は編物とする請求項２記載の化粧パフ。
【請求項４】
前記ジェル（３）が、ヒドロジェル、シリコンジェル、ポリウレタンジェル、スチレンジェルのいずれかである請求項１〜３のいずれかに記載の化粧用パフ。
【考案の詳細な説明】
【技術分野】
【０００１】
本考案はリキッドファンデーションに適した化粧用パフに関するものである。
【背景技術】
【０００２】
リキッドファンデーションに適した化粧用パフとしては、例えば下記特許文献１のような技術が公知である。これは、ジェル素材の表面に低硬度ゴム又は樹脂又は不透性不織布等の薄層を形成してなるものである。ジェル素材特有の、人の指先に似た弾性感があり、良好な化粧使用感を与える、さらにジェル素材は粘弾性を有し、その表面に薄層（薄膜）が良好に定着し、化粧使用時にしわ・よじれが生じない、とされる。
【先行技術文献】
【特許文献】
【０００３】
【特許文献１】特開平６-２５３９２７
【考案の概要】
【考案が解決しようとする課題】
【０００４】
上記従来技術においては、ジェル素材の表面に形成する低硬度ゴム又は樹脂等の薄層はパフの表裏とも同じ素材を使用している。
【０００５】
しかし、ファンデーションを皮膚になじませると共に余分のファンデーションを吸い取るときと、皮膚の上で伸ばすときとでは必要とされる機能が異なるにも関わらず、同一素材を使用するのは適当とは思われない。
【０００６】
本考案は、この発想に立って、１つのパフでありながら、機能の異なる少なくとも２種類の薄層を有するものを提供することを目的とする。
【課題を解決するための手段】
【０００７】
本考案は、容器状の薄層本体と、この薄層本体に充填されるジェルと、前記薄層本体と周辺部において接着され、前記ジェルを包み込むように閉じ込める上面薄層を有する化粧用パフであって、前記薄層本体と前記上面薄層が異なる素材からなることを特徴とする。
【０００８】
好ましくは、前記異なる素材の一方が、天然／合成ゴム、軟質樹脂いずれかであり、前記異なる素材の他方が、織物層又は編物層である。
【０００９】
より好ましくは、前記薄層本体を、天然／合成ゴム、軟質樹脂いずれかとし、前記上面薄層を、織物又は編物とすることである。
【００１０】
好ましくは、前記ジェルはヒドロジェル、シリコンジェル、ポリウレタンジェル、スチレンジェルのいずれかである。
【考案の効果】
【００１１】
本考案の化粧用パフによれば、ファンデーションを皮膚になじませると共に余分のファンデーションを吸い取るときには例えば上面薄層側を使用し、皮膚の上で伸ばすときには例えば薄層本体側を使用することができる。
【図面の簡単な説明】
【００１２】
【図１】本考案の実施例に係る化粧用パフの（ａ）平面図、（ｂ）底面図、（ｃ）正面図、（ｄ）側面図である。
【図２】図１（ａ）の矢示部分における断面図である。
【考案を実施するための形態】
【００１３】
図１、図２に示すように、本考案のパフ１は、容器状の薄層本体２と、薄層本体２に充填されるジェル３と、前記薄層本体２と周辺部において接着され、前記ジェル３を包み込むように閉じ込める上面薄層４からなる。
【００１４】
薄層本体２としては、天然／合成ゴム、軟質樹脂、等が使用可能である。合成ゴムとしては、例えばシリコンゴムやウレタンゴムなどを用いることができる。軟質樹脂としては、スチレン系、オレフィン系、ポリエステル系の熱可塑性エラストマーなどが例示される。  
【００１５】
ジェル３の素材としては、寒天、こんにゃく、ゼラチンなどのヒドロジェルや、シリコンジェル、ポリウレタンジェル、スチレンジェルなどのオルガノジェルを使用することができる。
【００１６】
上面薄層４としては、織物、編物等の繊維生地が好ましい。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。
【００１７】
本実施例のパフ１を製造するには、まず、型（図示せず）の内壁に薄層本体２の塗膜を形成する。その後、薄層塗膜内にジェル３を充填する。次に、ジェル３が充填された型を加熱してジェル３を硬化させる。硬化後、脱型して、上面薄層４を接着して上面を閉じて、化粧用パフを得る。場合により脱型された直後の化粧用パフのバリ等を除去する。
【００１８】
本実施例に係る化粧用パフは、各種の化粧用品に使用でき、パウダー、クリーム、エマルジョンファンデーション、リキッドファンデーション等に使用できる。
【符号の説明】
【００１９】
１     パフ
２     薄層本体
３     ジェル
４     上面薄層
【図１】
0003212627.tif 000003
【図２】
0003212627.tif 000004